(57)【要約】【課題】ユーザが必要とする周辺機器と必要としない周辺機器とを区別して電力管理を行うことが可能な画像形成装置およびプログラムを提供する。【解決手段】ユーザ情報と機器情報とを含むテーブルを取得すると（Ｓ１０１）、そのテーブルを格納部に格納する（Ｓ１０２）。そして、ユーザ情報を受け付けると（Ｓ１０３）格納部に格納されているテーブルを読み出し（Ｓ１０４）、テーブルに登録されているユーザ情報があるか否かを確認する（Ｓ１０５）。ユーザ情報が登録されているときには、そのユーザ情報に関連付けられた機器情報を読み出すことで、ユーザに対応する機器の特定を行う（Ｓ１０６）。そのＵＲＬについて、ウェイクアップパケットを生成し、そのパケットを通信網を介して送信することで起動の指示を行う（Ｓ１０７）。【選択図】図４
2010081288.tif 000002
【特許請求の範囲】
【請求項１】
画像形成についての指示を受け付け、当該指示に基づいて画像を形成する画像形成手段と、
装置本体に対して作業するユーザの情報を受け付ける受付手段と、
前記受付手段により受け付けられる前記ユーザの情報と、前記装置本体が通信可能な複数の機器の中から特定される機器の情報とが関連付けられる情報である関連付け情報を取得する取得手段と、
前記取得手段により取得された前記関連付け情報により特定される機器に電源の制御についての指示を送信する送信手段と、
を含む画像形成装置。
【請求項２】
前記取得手段は、前記関連付け情報として、前記機器の情報と当該機器の場所を示す場所の情報とが関連付けられると共に当該場所の情報と前記ユーザの情報とが関連付けられる情報を取得することを特徴とする請求項１に記載の画像形成装置。
【請求項３】
前記取得手段は、前記機器についての電源の制御を実行しない指示としての不実行情報を取得し、
前記送信手段は、前記取得手段により取得される前記不実行情報に基づいて、当該不実行情報に対応する前記機器を、特定する機器の中から除外することを特徴とする請求項１または２に記載の画像形成装置。
【請求項４】
前記取得手段は、媒体に付された画像を読み取り、読み取った当該画像から文字認識を行うことで前記関連付け情報を取得することを特徴とする請求項１または２に記載の画像形成装置。
【請求項５】
画像を形成する画像形成装置が備えるコンピュータに、
装置本体に対して作業するユーザの情報を受け付ける受付機能と、
前記受付機能により受け付けられる前記ユーザの情報と、前記装置本体が通信可能な複数の機器の中から特定される機器の情報とが関連付けられる情報である関連付け情報を取得する取得機能と、
前記取得機能により取得された前記関連付け情報により特定される機器に電源の制御についての指示を送信する送信機能と、
を実現させるプログラム。
【請求項６】
前記取得機能は、前記関連付け情報として、前記機器の情報と当該機器の場所を示す場所の情報とが関連付けられると共に当該場所の情報と前記ユーザの情報とが関連付けられる情報を取得することを特徴とする請求項５に記載のプログラム。
【請求項７】
前記取得機能は、前記機器についての電源の制御を実行しない指示としての不実行情報を取得し、
前記送信機能は、前記取得機能により取得される前記不実行情報に基づいて、当該不実行情報に対応する前記機器を、特定する機器の中から除外することを特徴とする請求項５または６に記載のプログラム。
【請求項８】
前記取得機能は、媒体に付された画像を読み取り、読み取った当該画像から文字認識を行うことで前記関連付け情報を取得することを特徴とする請求項５または６に記載のプログラム。
【発明の詳細な説明】
【技術分野】
【０００１】
本発明は、画像形成装置およびプログラムに関するものである。
【背景技術】
【０００２】
例えば、特許文献１は、オフィスビルにおける消費電力を通信網を介してエネルギセンタにより管理することにより適確に低減し得る需要家消費電力制御管理システムが開示されている。すなわち、特許文献１に開示されたシステムは、各オフィスビルに設けられ、オフィスビルにおける各機器の動作を制御するとともに、オフィスビルにおける各機器の消費電力を計測し、オフィスビルにおける消費電力を監視するビル電力監視手段を有する。また、システムは、各オフィスビルに設けられているビル電力監視手段と通信網を介して接続され、ビル電力監視手段と通信を行ない、各オフィスビルにおける機器の動作および消費電力を全体的に管理するエネルギセンタを有する。
【０００３】
【特許文献１】特開２００２−２０９３３５号公報
【発明の開示】
【発明が解決しようとする課題】
【０００４】
ここで、会社のオフィス内に朝最初に出社した社員は、部屋の電灯およびエアコンをつけて、自身が使うパーソナルコンピュータの電源をオンにする。この場合に、部屋の電灯やエアコンなどの周辺機器のうちユーザが必要とするもののみの電源を制御すれば、オフィスの消費電力を低減することが可能になる。
【０００５】
本発明は、ユーザが必要とする周辺機器と必要としない周辺機器とを区別して電力管理を行うことが可能な画像形成装置およびプログラムを提供することを目的とする。
【課題を解決するための手段】
【０００６】
請求項１に記載の発明は、画像形成についての指示を受け付け、当該指示に基づいて画像を形成する画像形成手段と、装置本体に対して作業するユーザの情報を受け付ける受付手段と、前記受付手段により受け付けられる前記ユーザの情報と、前記装置本体が通信可能な複数の機器の中から特定される機器の情報とが関連付けられる情報である関連付け情報を取得する取得手段と、前記取得手段により取得された前記関連付け情報により特定される機器に電源の制御についての指示を送信する送信手段と、を含む画像形成装置である。
請求項２に記載の発明は、前記取得手段は、前記関連付け情報として、前記機器の情報と当該機器の場所を示す場所の情報とが関連付けられると共に当該場所の情報と前記ユーザの情報とが関連付けられる情報を取得することを特徴とする請求項１に記載の画像形成装置である。
請求項３に記載の発明は、前記取得手段は、前記機器についての電源の制御を実行しない指示としての不実行情報を取得し、前記送信手段は、前記取得手段により取得される前記不実行情報に基づいて、当該不実行情報に対応する前記機器を、特定する機器の中から除外することを特徴とする請求項１または２に記載の画像形成装置である。
請求項４に記載の発明は、前記取得手段は、媒体に付された画像を読み取り、読み取った当該画像から文字認識を行うことで前記関連付け情報を取得することを特徴とする請求項１または２に記載の画像形成装置である。
【０００７】
請求項５に記載の発明は、画像を形成する画像形成装置が備えるコンピュータに、装置本体に対して作業するユーザの情報を受け付ける受付機能と、前記受付機能により受け付けられる前記ユーザの情報と、前記装置本体が通信可能な複数の機器の中から特定される機器の情報とが関連付けられる情報である関連付け情報を取得する取得機能と、前記取得機能により取得された前記関連付け情報により特定される機器に電源の制御についての指示を送信する送信機能と、を実現させるプログラムである。
請求項６に記載の発明は、前記取得機能は、前記関連付け情報として、前記機器の情報と当該機器の場所を示す場所の情報とが関連付けられると共に当該場所の情報と前記ユーザの情報とが関連付けられる情報を取得することを特徴とする請求項５に記載のプログラムである。
請求項７に記載の発明は、前記取得機能は、前記機器についての電源の制御を実行しない指示としての不実行情報を取得し、前記送信機能は、前記取得機能により取得される前記不実行情報に基づいて、当該不実行情報に対応する前記機器を、特定する機器の中から除外することを特徴とする請求項５または６に記載のプログラムである。
請求項８に記載の発明は、前記取得機能は、媒体に付された画像を読み取り、読み取った当該画像から文字認識を行うことで前記関連付け情報を取得することを特徴とする請求項５または６に記載のプログラムである。
【発明の効果】
【０００８】
請求項１によれば、本発明を適用しない場合に比べて、ユーザが必要とする周辺機器と必要としない周辺機器とを区別して電力管理を行うことが簡易な構成で実現可能になる。
請求項２によれば、本発明を適用しない場合に比べて、データ量を少なくすることが可能になる。
請求項３によれば、本発明を適用しない場合に比べて、ユーザの使用状況に合わせた電力管理を簡易な構成で実現可能になる。
請求項４によれば、本発明を適用しない場合に比べて、関連付け情報の登録を容易に行うことが可能になる。
請求項５によれば、本発明を適用しない場合に比べて、ユーザが必要とする周辺機器と必要としない周辺機器とを区別して電力管理を行うことが簡易な構成で実現可能になる。
請求項６によれば、本発明を適用しない場合に比べて、データ量を少なくすることが可能になる。
請求項７によれば、本発明を適用しない場合に比べて、ユーザの使用状況に合わせた電力管理を簡易な構成で実現可能になる。
請求項８によれば、本発明を適用しない場合に比べて、関連付け情報の登録を容易に行うことが可能になる。
【発明を実施するための最良の形態】
【０００９】
以下、添付図面を参照して、本発明の実施の形態について詳細に説明する。
図１は、本実施の形態の画像形成装置を用いて構成した電力管理システムＰＳの構成の一例を示す図である。
同図に示すように、この電力管理システムＰＳは、電力が供給されて画像を形成する画像形成装置１と、電力を消費して演算処理等を行う複数の端末装置２１，２２，３１，３２と、が通信網ＮＷに互いに接続されることにより構成されている。また、電力管理システムＰＳは、室内の天井に設置され、電力を消費して発光する照明器具としての複数の電灯４１，４２と、電力を消費して室内の空気を調整する複数のエアコン(Air Conditioner)５１，５２と、が通信網ＮＷに互いに接続されることにより構成されている。
この電力管理システムＰＳは、画像形成装置１が通信網ＮＷを介して、複数の端末装置２１，２２，３１，３２、複数の電灯４１，４２および複数のエアコン５１，５２についての電力管理を行うように構成されている。言い換えると、複数の端末装置２１，２２，３１，３２、複数の電灯４１，４２および複数のエアコン５１，５２は、通信網ＮＷを通じて電源および状態制御が可能な機器である。
なお、電力管理システムＰＳにおいて、複数の端末装置２１，２２，３１，３２の各々から印刷指示が通信網ＮＷを介して画像形成装置１に送信されると、画像形成装置１は、その印刷指示を受けて用紙に印刷を行う。
【００１０】
画像形成装置１は、媒体に画像を印刷し、印刷文書として出力する装置である。この画像形成装置１は、プリンタ機能やコピー機能、スキャナ機能、通信機能等の基本機能を備えたものである。画像形成装置１は、ユーザを認識するユーザ認識装置（受付手段）１０がケーブルで接続されている。
なお、画像形成装置１における画像形成方式としては、例えば、電子写真方式を用いるとよいが、その他の方式を用いてもよい。
【００１１】
端末装置２１，２２，３１，３２は、画像データを作成し外部に出力する機器であり、例えば、ソフトウェアを実行して演算等を行うコンピュータ本体、ディスプレイ等の表示装置、コンピュータ本体に対して入力を行うための入力装置等により構成される。この端末装置２１，２２，３１，３２としては、例えば、パーソナルコンピュータやその他のコンピュータが用いられる。
【００１２】
通信網ＮＷとしては、例えばイーサネット（登録商標）(Ethernet（登録商標）)によるＬＡＮ(Local Area Network)で構成することができる。更に説明すると、この通信網ＮＷを介して、画像形成装置１は、端末装置２１，２２，３１，３２、電灯４１，４２およびエアコン５１，５２との間でデータを相互に送受信することができる。
なお、画像形成装置１と端末装置２１，２２，３１，３２、電灯４１，４２およびエアコン５１，５２との間で通信網ＮＷを介してデータ転送を行う際に、送信元と送信先との間でデータ通信を確立するためのネゴシエーション(negotiation)を行う。このネゴシエーションという用語は、ハードウェアデバイス同士が通信（通信条件）に関する情報交換を行うものともいうことができる。
【００１３】
図２は、画像形成装置１の構成例を示すブロック図である。
同図に示すように、本実施の形態での画像形成装置１は、取得された画像を処理して用紙に印刷する印刷装置（画像形成手段）６１と、予め定められた画像を表示する表示画面やユーザが操作する操作パネル等を有するＵＩ装置６２と、を備えている。
また、画像形成装置１は、処理すべき画像を読み取るスキャナ等で構成される画像読取装置６３と、画像形成装置１で行われる各種の処理を制御する制御部６４と、を備えている。この制御部６４は、装置全体を制御する装置制御部６５と、通信網ＮＷを介するデータ通信を制御する通信制御部（取得手段、送信手段）６６と、ユーザ認識装置１０を制御するユーザ認識制御部（受付手段）６７と、で構成されている。
【００１４】
ここで、制御部６４の構成例について付言する。この制御部６４として、予め定められた動作制御プログラム（ファームウェア）に従ってデジタル演算処理を実行する図示しないＣＰＵ(Central Processing Unit)と、ＣＰＵの作業用メモリ等として機能すると共にＣＰＵにより実行される処理プログラムや処理プログラムにて用いられる設定値等のデータが格納される図示しないメモリと、で構成することが考えられる。このメモリは、例えばフラッシュメモリ、ＥＥＰＲＯＭなどで構成することができる。
また、制御部６４の他の構成例としては、ＡＳＩＣ（Application Specific Integrated Circuit）による電源制御用の集積回路も考えられる。このように構成することで、画像形成装置１が備えるＣＰＵやメモリ等を使用することなく、回路単体で動作することができるようになる。
【００１５】
また、画像形成装置１は、取得したデータ等を格納する格納部６８を備えている。格納部６８は、端末装置２１，２２，３１，３２等の機器の電力制御に必要な情報を格納する。より具体的には、格納部６８は、後述する各種のテーブル７１，７２を格納する。なお、格納部６８は、格納している関連付け情報の一例としての各種のテーブル７１，７２を制御部６４からの指示に従って読み出す。
付言すると、格納部６８は、不揮発性メモリ（ＮＶＭ(Non Volatile Memory)）であり、データの書き換えと電源を切った後のデータ保持が可能である。格納部６８としては、例えば、フラッシュメモリ、ＥＥＰＲＯＭ（Electronically Erasable and Programmable Read Only Memory）などを用いることができる。
【００１６】
〔第１の実施の形態〕
図３は、第１の実施の形態にて格納部６８に格納されるテーブル７１を説明する図である。
同図に示す関連付け情報の一例としてのテーブル７１には、画像形成装置１にアクセスして作業するユーザを認識ないし特定するユーザの情報の一例としてのユーザ情報（ユーザＩＤ）を登録する欄が設けられている。また、テーブル７１には、端末装置２１，２２，３１，３２等の各種の機器に関する機器の情報の一例としての機器情報（デバイス情報）を登録する欄が設けられている。
【００１７】
具体的に説明すると、このテーブル７１には、ユーザ情報として、「１２３４」、「２３４５」および「３４５６」の３名のユーザが登録されている。そして、３名のユーザの各々について、各ユーザが関連する機器として、電灯、エアコン、端末装置の通信網上に存在する場所（ＵＲＬ(Uniform Resource Locator)）が登録されている。
ユーザ「１２３４」について説明すると、ユーザ「１２３４」自身が仕事を行う机の位置を明るく照らす電灯（例えば図１の電灯４１）のＵＲＬ（デバイスＩＰ）として「１１１．１１１．１１１．１」が登録されている。また、ユーザ「１２３４」自身が仕事を行う机を含む空間を空調するエアコン（例えば図１のエアコン５１）のＵＲＬとして「１１１．１１１．１１１．１１」が登録されている。そして、ユーザ「１２３４」自身が仕事に用いる端末装置（例えば図１の端末装置２１）のＵＲＬとして「１１１．１１１．１１１．２１」が登録されている。このような登録によって、ユーザ「１２３４」と電灯４１、エアコン５１および端末装置２１の各々とが紐付けされる。
ユーザ「２３４５」およびユーザ「３４５６」についても、電灯のＵＲＬ、エアコンのＵＲＬおよび端末装置のＵＲＬの各々について登録され、これによりユーザと各種の機器とが紐付けされている。
【００１８】
図４は、画像形成装置１において各種の機器の電力管理を行う際の処理手順を示すフローチャートである。
同図に示すフローチャートでは、画像形成装置１の制御部６４が、ユーザ情報と機器情報とを含むテーブル７１を取得すると（ステップ１０１）、そのテーブル７１を格納部６８に格納する（ステップ１０２）。
【００１９】
ここで、テーブル７１の取得方法としては、種々のやり方が考えられる。その一例としては、ユーザ「１２３４」の各々が端末装置（例えば図１の端末装置２１）を用いて通信網ＮＷを介して、自身のユーザ情報「１２３４」と自身が関連する機器の機器情報とを送信し、それを制御部６４が受信してテーブル７１に登録する方法がある。このような方法の場合には、テーブル７１のデータ量は多くなるものの、細かな単位で行うことで機器情報の変更等に対応することが容易になる。
また、他の方法としては、いずれかの端末装置から通信網ＮＷを介してテーブル７１に含まれるユーザ情報および機器情報を画像形成装置１に送付する方法が考えられる。
【００２０】
さらに他の方法としては、いずれかの端末装置にてユーザ情報および機器情報を記入した定型フォームのテーブル７１を作成し、そのテーブル７１のデータを画像形成装置１に送付する方法も考えられる。その場合に、テーブル７１を印刷する指示を画像形成装置１に行うことによって画像形成装置１の印刷装置６１が電子化ファイルを作成し、その電子化ファイルのデータを格納部６８に格納する。
さらにまた他の方法としては、テーブル７１が印刷された用紙を、画像形成装置１の画像読取装置６３（図２参照）を用いてその画像を読み取る方法が考えられる。その場合には、画像読取装置６３により読み取られた画像について文字認識を行うことで、テーブル７１に含まれるユーザ情報および機器情報を取得することができ、そのデータを格納部６８に格納する。
またさらに他の方法としては、ユーザが画像形成装置１のＵＩ装置６２にテーブル７１の各欄を表示させ、その各欄にユーザ情報および機器情報を入力する方法が考えられる。
付言すると、これら取得方法については、初期登録の後にその登録の内容を変更する場合も適用することが考えられる。すなわち、制御部６４は、初期登録後に内容変更を取得すると、格納部６８に格納されているテーブル７１を書き換える。
【００２１】
図４に戻って説明を続ける。
ユーザが、ユーザ認識装置１０に自身のＩＤカードを挿入すると、ユーザ認識装置１０は、ＩＤカードからユーザ情報を読み出し、それを画像形成装置１に送信する。すると、画像形成装置１では、ユーザ認識制御部６７がユーザ情報（例えば「１２３４」）を受け付け（ステップ１０３）、それを装置制御部６５に渡す。そして、装置制御部６５は、格納部６８に格納されているテーブル７１（図３参照）を読み出し（ステップ１０４）、テーブル７１に登録されているユーザ情報に「１２３４」があるか否かを確認する（ステップ１０５）。
【００２２】
テーブル７１にユーザ情報が登録されているときには、装置制御部６５は、ユーザ情報「１２３４」に関連付けられた機器情報を参照する。すなわち、ユーザ情報「１２３４」が登録されているので、装置制御部６５は、ユーザ情報「１２３４」に関連付けられた機器情報を読み出すことで、ユーザ「１２３４」に対応する機器の特定を行う（ステップ１０６）。すなわち、装置制御部６５は、ユーザ「１２３４」が自身の机で仕事をする上で必要な電灯、エアコンおよび端末装置のＵＲＬを取得し、それを通信制御部６６に渡す。
【００２３】
通信制御部６６は、装置制御部６５から取得したＵＲＬについて、ウェイクアップパケット(Wake-up Packet)やマジックパケット(Magic Packet)を生成する。そして、通信制御部６６は、生成したパケットを通信網ＮＷを介して送信することで起動の指示を行う（ステップ１０７）。起動の指示を受けた機器側では起動し、これにより通信網ＮＷを利用した機器の遠隔起動が行われる。
なお、本実施の形態では、ウェイクアップパケット等を送信することで遠隔起動を行う例を説明したが、起動する前の状態に戻すパケットであるスリープパケット(Sleep Packet)を生成し送信することで電源オフにする場合にも適用することが考えられる。
【００２４】
〔第２の実施の形態〕
図５は、第２の実施の形態が適用されるオフィス部屋内の機器のレイアウト例を説明する平面図である。
同図に示すように、オフィス部屋８を９つに分割し、分割された領域を区画Ａ−１，Ａ−２，Ａ−３，Ｂ−１，Ｂ−２，Ｂ−３，Ｃ−１，Ｃ−２，Ｃ−３としている。この例では、区画Ａ−１には、２つの机が位置し、２つの机の各々に端末装置が設置されている。また、区画Ａ−２および区画Ａ−３には、端末装置が設置されている机が１つ位置している。また、区画Ｂ−１には、２つの机が位置しているが、その一方の机にのみ端末装置が設置されている。付言すると、同図では省略されているが、区画Ａ−１，Ａ−２，Ａ−３，Ｂ−１の各々には、異なる電灯およびエアコンが設置されている。
他の区画Ｂ−２，Ｂ−３，Ｃ−１，Ｃ−２についても同様であり、説明を省略する。なお、入り口に近い区画Ｃ−３には、画像形成装置１が位置している。
【００２５】
図６は、第２の実施の形態にて格納部６８に格納されるテーブル７２を説明する図である。
同図に示す関連付け情報の一例としてのテーブル７２には、オフィス部屋８の区画を示す区画を登録する欄、ユーザ情報を登録する欄および機器情報を登録する欄が設けられている。すなわち、テーブル７２は、上述したテーブル７１に設けられている各欄に、区画を登録する場所の情報の一例としての区画欄が追加されている。この区画欄は、図５のオフィス部屋８の区画を特定するためのものである。具体的には、テーブル７２では、区画欄と区画欄に対応する機器の情報の一例としての電灯、エアコンおよび端末装置の各ＵＲＬとが関連付けされている。
【００２６】
区画Ａ−１には、１つの電灯および１つのエアコンが設置され、かつ、２つの端末装置が設置されている。すなわち、テーブル７２では、区画Ａ−１において、一列目には、電灯、エアコンおよび端末装置の各々のＵＲＬが登録されているものの、二列目には、電灯およびエアコンの各々のＵＲＬが省略され、端末装置のＵＲＬのみが登録されている。二列目の電灯およびエアコンの各々のＵＲＬは、一列目のものと同一ゆえに省略している。このようなＵＲＬの省略により、テーブル７２のデータ量を抑えることが可能になる。
そして、区画Ａ−１には、ユーザ情報として「１２３４」および「４５６７」が登録されている。端末装置が２台であることから、ユーザ情報の欄には２名のユーザ情報を登録することができる。このようにテーブル７２では、ユーザごとのみならず、エリアごとの機器制御を行うことが可能になる。
【００２７】
また、テーブル７２の機器情報の欄の構成が、上述したテーブル７１とは異なる。すなわち、テーブル７２では、電灯、エアコンおよび端末装置の各々に、不実行情報の一例としての無効の欄が追加されている。この無効の欄は、登録している機器を一時的に制御したくない場合にチェックを入れるためのものである。テーブル７２の例では、区画Ｂ−１のエアコンに無効チェックが記入されている。このため、ユーザ情報「５６７８」が、ユーザ認識装置１０に自身のＩＤカードを挿入した場合には、電灯および端末装置は遠隔起動されるが、エアコンは遠隔起動されない。
なお、本実施の形態では、機器ごとに無効の欄を設けているが、ユーザごとに無効の欄を設けることも考えられる。また、本実施の形態では、テーブル７２に無効チェックの欄を設けているが、テーブル７２とは別に、図示しない起動除外テーブル（un-use-tempテーブル）を用いて同様の制御を行うことも考えられる。
【００２８】
図７は、画像形成装置１において各種の機器の電力管理を行う際の処理手順を示すフローチャートである。なお、図７のステップ２０１〜２０６および２０８は、上述した図４のステップ１０１〜１０７に相当するものゆえ、その説明を省略することがある。
図７に示すフローチャートでは、ユーザ情報を受け付けてそのユーザ情報に対応する機器情報をテーブル７２に基づいて取得する際に、その機器情報の欄に無効チェックがあるか否かを判断する（ステップ２０７）。そして、すべての機器について無効チェックがあれば、該当する機器についての起動の指示が行われず、一連の処理が終了する。
なお、特定した機器の一部に無効チェックがあるときには、その機器を除外して残りの機器について起動の指示が行われる。
【図面の簡単な説明】
【００２９】
【図１】本実施の形態の画像形成装置を用いて構成した電力管理システムの構成の一例を示す図である。
【図２】画像形成装置の構成例を示すブロック図である。
【図３】第１の実施の形態にて格納部に格納されるテーブルを説明する図である。
【図４】画像形成装置において各種の機器の電力管理を行う際の処理手順を示すフローチャートである。
【図５】第２の実施の形態が適用されるオフィス部屋内の機器のレイアウト例を説明する平面図である。
【図６】第２の実施の形態にて格納部に格納されるテーブルを説明する図である。
【図７】画像形成装置において各種の機器の電力管理を行う際の処理手順を示すフローチャートである。
【符号の説明】
【００３０】
１…画像形成装置、１０…ユーザ認識装置、６４…制御部、６８…格納部、７１，７２…テーブル、ＮＷ…通信網
【図１】
2010081288.tif 000003
【図２】
2010081288.tif 000004
【図３】
2010081288.tif 000005
【図４】
2010081288.tif 000006
【図５】
2010081288.tif 000007
【図６】
2010081288.tif 000008
【図７】
2010081288.tif 000009